(57)【要約】【課題】  ガイド部材を開いた状態で自立保持するためにダンパーやマグネットキャッチを用いると、ガイド部材の重量を開いた状態で保持するための力が必要であるため閉めるときの操作力が大きくなってしまい、操作性が悪かった。一方、ダンパー等を用いない機械的な保持機構であると、ユーザーの意図しない保持の解除が発生するおそれがあった。【解決手段】  シート搬送装置は、搬送されるシートをガイドする上搬送ガイド２１１を備えるガイド機構２１３と、上搬送ガイド２１１を対向する下搬送ガイド２１２に対して開いた位置に保持する保持部材２１４とを有する。ガイド機構２１３は、保持部材２１４との係合を解除する操作部材３０４を備え、保持部材２１４は、ガイド機構２１３との係合を解除する操作部材３２０を備える。操作部材３０４と操作部材３２０をそれぞれ異なる方向に移動させることにより、保持部材２１４によるガイド機構２１３の保持を解除する。【選択図】  図５
2016155685.tif 000002
【特許請求の範囲】
【請求項１】
搬送されるシートをガイドするガイド部材と、前記ガイド部材に対し移動可能に設けられた第一の操作部材と、を有する第一のガイド部材であって、前記ガイド部材は、前記ガイド部材に対向する第二のガイド部材に対して開閉可能に設けられた第一のガイド部材と、
前記第一のガイド部材と係合し、前記ガイド部材を前記第二のガイド部材に対して開いた位置又は閉じた位置に保持する保持部材と、を有し、
前記保持部材は、第一の部材と、前記第一の部材に対し移動可能に設けられた第二の操作部材とを有し、
前記保持部材による前記第一のガイド部材の保持を解除する際に、前記第一の操作部材を動かす方向と、前記第二の操作部材を動かす方向は、それぞれ異なる方向であり、
前記第一の操作部材と第二の操作部材の一方の操作のみでは前記保持部材による前記第一のガイド部材の保持は解除されないことを特徴とするシート搬送装置。
【請求項２】
搬送されるシートをガイドするガイド部材と、前記ガイド部材に対し移動可能に設けられた第一の操作部材と、を有する第一のガイド部材であって、前記ガイド部材は、前記ガイド部材に対向する第二のガイド部材に対して開閉可能に設けられた第一のガイド部材と、
前記第一のガイド部材と係合し、前記ガイド部材を前記第二のガイド部材に対して開いた位置又は閉じた位置に保持する保持部材と、とを有し、
前記保持部材は、第一の部材と、前記第一の部材に対し移動可能に設けられた第二の操作部材と、を有し、
前記第一の操作部材は、第一の被係合部を備え、
前記ガイド部材は第二の被係合部を備え、
前記第一の部材は、前記第一の被係合部と係合する第一の係合部を備え、
前記第二の操作部材は、前記第二の被係合部と係合する第二の係合部を備え、
前記第一の被係合部と前記第一の係合部との係合及び前記第二の被係合部と前記第二の係合部との係合により前記保持部材は前記第一のガイド部材を保持し、
前記第一の操作部材を第１の方向に移動させることにより前記第一の被係合部と前記第一の係合部との係合は解除され、
前記第二の操作部材を前記第１の方向とは異なる第２の方向に移動させることにより前記第二の被係合部と前記第二の係合部との係合を解除されることを特徴とするシート搬送装置。
【請求項３】
搬送されるシートをガイドするガイド部材と、前記ガイド部材に対し移動可能に設けられた第一の操作部材と、を有する第一のガイド部材であって、前記ガイド部材は、前記ガイド部材に対向する第二のガイド部材に対して開閉可能に設けられた第一のガイド部材と、
前記第一のガイド部材と係合し、前記ガイド部材を前記第二のガイド部材に対して開いた位置又は閉じた位置に保持する保持部材と、を有し、
前記保持部材は、第一の部材と、前記第一の部材に対し移動可能に設けられた第二の操作部材と、を有し、
前記第一の操作部材は、第一の被係合部を備え、
前記第二の操作部材は、前記第一の被係合部と係合する第一の係合部を備え、
前記第一の被係合部と前記第一の係合部との係合により前記保持部材は前記第一のガイド部材を保持し、
前記第一の操作部材を第１の方向に移動させ、前記第二の操作部材を前記第１の方向とは異なる第２の方向に移動させることにより前記第一の被係合部と前記第一の係合部との係合は解除されることを特徴とするシート搬送装置。
【請求項４】
前記第一の操作部材と前記第二の操作部材の少なくともどちらか一方に設けられる付勢部であって、前記第一の操作部材又は前記第二の操作部材の少なくともどちらか一方を、前記第一の操作部材又は前記第二の操作部材の少なくともどちらか他方に係合する向きに付勢する付勢部を有することを特徴とする請求項１乃至３のいずれか１項に記載のシート搬送装置。
【請求項５】
前記第一のガイド部材は、前記第二のガイド部材に対して上方に開閉可能に設けられていることを特徴とする請求項１乃至４のいずれか１項に記載のシート搬送装置。
【請求項６】
前記第一の操作部材は、前記ガイド部材に対し回動可能に設けられ、前記第二の操作部材は前記第一の部材に対し回動可能に設けられており、前記第一の操作部材と前記第二の操作部材を回動させることにより係合を解除することを特徴とする請求項１乃至５のいずれか１項に記載のシート搬送装置。
【請求項７】
前記第一の操作部材は、前記ガイド部材に対しスライド可能に設けられ、前記第二の操作部材は前記第一の部材に対しスライド可能に設けられており、前記第一の操作部材と前記第二の操作部材をスライドさせることにより係合を解除することを特徴とする請求項１乃至５のいずれか１項に記載のシート搬送装置。
【請求項８】
前記第一の操作部材のスライド可能な量をＬ１、前記第二の操作部材のスライド可能な量をＬ２、係合の解除に必要な前記第一の操作部と前記第二の操作部をスライド量をＬとして、
Ｌ＞Ｌ１
Ｌ＞Ｌ２
Ｌ＜Ｌ１＋Ｌ２
を満たすことを特徴とする請求項７に記載のシート搬送装置。
【請求項９】
前記第一のガイド部材は、金属性のガイド部材であることを特徴とする請求項１乃至８のいずれか１項に記載のシート搬送装置。
【請求項１０】
前記第一の操作部材のユーザーが操作する部分を第一の操作部、前記第二の操作部材のユーザーが操作する部分を第二の操作部として、前記第一の操作部と前記第二の操作部は、近接した位置に設けられることを特徴とする請求項１乃至９のいずれか１項に記載のシート搬送装置。
【請求項１１】
前記第一の操作部材のユーザーが操作する部分を第一の操作部、前記第二の操作部材のユーザーが操作する部分を第二の操作部として、前記第一の操作部と前記第二の操作部は、前記第一の操作部と前記第二の操作部との距離が１００ｍｍ以下となるように設けられることを特徴とする請求項１乃至９のいずれか１項に記載のシート搬送装置。
【請求項１２】
シートに画像形成を行う画像形成部と、請求項１乃至１１のいずれか１項に記載のシート搬送装置を備えることを特徴とする画像形成装置。
【発明の詳細な説明】
【技術分野】
【０００１】
本発明は、開閉するガイド部材を備えるシート搬送装置、及び当該シート搬送装置を備える画像形成装置に関するものである。
【背景技術】
【０００２】
従来、シート搬送装置は、搬送ガイドでのジャム処理のために搬送ガイドを構成するガイド部材を開く構成を備えている。ガイド部材の構成は、片手でジャム処理できるようにガイド部材を開いた状態で自立保持可能な構成を採用しているものもある。自立保持の方法は、ダンパーを用いて保持する構成（特許文献１）や、開いたガイド部材をマグネットキャッチで保持する構成もある。また、ガイドを備えるカバー部材を、カバー部材に設けられた被固定部材を、本体に設けられた固定部材に係合させ、当該係合を解除することによりガイドを開閉可能に設けた構成の開示がある（特許文献２）。
【先行技術文献】
【特許文献】
【０００３】
【特許文献１】特開２００８−８７８７５号公報
【特許文献２】特開２０１２−１６８５７０号公報
【発明の概要】
【発明が解決しようとする課題】
【０００４】
しかしながら、ダンパーを用いた構成の場合には次のような問題がある。ダンパーは高価である。さらに、ダンパーの力によりガイド部材の重量を開いた状態で保持するため、ユーザーはダンパーの力に反してガイド部材を閉める必要がありユーザーの操作力が大きくなる。
【０００５】
マグネットキャッチを用いた構成も、ダンパーを用いた構成と同様に、ユーザーはマグネットキャッチの力に反してガイド部材を閉める必要がありユーザーの操作力が大きくなるという問題がある。
【０００６】
また、被固定部材を、固定部材と係合させ、当該係合を解除することによりガイドを開閉する構成においては次のような問題がある。解除の動作が一つの部材の操作のみで行われるため、ユーザーが、あやまって解除を行う部材に触れてしまい、ユーザーが意図しないガイド部材の開閉が発生するおそれがある。
【課題を解決するための手段】
【０００７】
本発明は、この様な課題を解決するためになされたものである。
【０００８】
上記目的を達成するための本発明に係るシート搬送装置は、搬送されるシートをガイドするガイド部材と、前記ガイド部材に対し移動可能に設けられた第一の操作部材と、を有する第一のガイド部材であって、前記ガイド部材は、前記ガイド部材に対向する第二のガイド部材に対して開閉可能に設けられた第一のガイド部材と、前記ガイド部材と係合し、前記第一のガイド部材を前記第二のガイド部材に対して開いた位置又は閉じた位置に保持する保持部材と、を有し、前記保持部材は、第一の部材と、前記第一の部材に対し移動可能に設けられた第二の操作部材とを有し、前記保持部材による前記第一のガイド部材の保持を解除する際に、前記第一の操作部材を動かす方向と、前記第二の操作部材を動かす方向は、それぞれ異なる方向であり、前記第一の操作部材と第二の操作部材の一方の操作のみでは前記保持部材による前記第一のガイド部材の保持は解除されないことを特徴とする。
【発明の効果】
【０００９】
本発明によれば、ユーザーにとって操作性のよいガイド部材を備えたシート搬送装置を提供することができる。
【図面の簡単な説明】
【００１０】
【図１】本発明のシート処理装置を備える画像形成装置を示す断面図
【図２】本発明のシート処理装置を示す断面図
【図３】本発明の実施形態１に係るシート処理装置を画像形成装置側から見た側面図
【図４】本発明の実施形態１に係るラッチ機構を示す斜視図
【図５】本発明の実施形態１に係るラッチ機構を示す断面図
【図６】本発明の実施形態１に係るラッチ機構を示す断面図
【図７】本発明の実施形態２に係るラッチ機構を示す断面図
【図８】本発明の実施形態２に係るラッチ機構を示す断面図
【図９】本発明の実施形態３に係るラッチ機構を示す断面図
【図１０】本発明の実施形態３に係るラッチ機構を示す断面図
【図１１】本発明の実施形態４のシート処理装置を画像形成装置側から見た側面図
【図１２】本発明の実施形態４に係るラッチ機構を示す断面図
【図１３】本発明の実施形態４に係るラッチ機構を示す断面図
【発明を実施するための形態】
【００１１】
〔実施形態１〕
以下、本発明を実施するための形態について図面を用いて詳細に説明する。
【００１２】
＜画像形成装置＞
図１は画像形成装置及びシート処理装置の構成図である。本実施形態では、電子写真方式の画像形成装置である。図１に示すように、画像形成装置は、白黒／カラー画像形成を行う画像形成装置本体６００と、これに接続したシート処理装置２００を有している。このため、画像形成装置本体６００から排出されるシートは、オンラインに接続されたシート処理装置２００で処理することができる。なお、画像形成装置本体６００は、シート処理装置２００を排出口に接続しないで、単独でも使用できるようになっている。また、画像形成装置本体６００は、シート処理装置２００をシート排出装置として一体に組み込んでもよい。ここで、ユーザーが画像形成装置本体６００に対して各種入力／設定を行うため操作部６０１に臨む位置を画像形成装置の正面手前側（以下、手前側）といい、装置背面側を奥側という。図１は、装置手前側から見た画像形成装置の構成を示したものである。シート処理装置２００は画像形成装置本体６００の側部に接続される。
【００１３】
画像形成装置本体６００内のカセット９０９ａ、９０９ｂから供給されたシートＳは、それぞれ画像形成部を構成するイエロー、マゼンタ、シアン、ブラックの感光ドラム９１４ａ〜９１４ｄ等によって、４色のトナー像を転写される。そして、定着器９０４に搬送されてトナー画像を定着され、片面の画像形成モードであれば、そのまま、排出ローラ対９０７によりシート処理装置２００に送られる。両面の画像形成モードであれば、シートＳは定着器９０４から反転ローラ９０５に受け渡され、シートの搬送方向の後端が反転フラッパ部Ｐを超えると反転ローラ９０５を反回転させ、搬送方向と逆の両面搬送ローラ９０６ａ〜９０６ｆの方向へ搬送する。そして、再度、裏面にイエロー、マゼンタ、シアン、ブラックの感光ドラム９１４ａ〜９１４ｄ等によって、４色のトナー像を転写される。両面に転写されたシートＳは再度定着器９０４に搬送されてトナー画像を定着し、排出ローラ対９０７によりシート処理装置２００に送られる。
【００１４】
＜シート処理装置＞
図２はシート処理装置２００の断面図である。シート処理装置２００は、画像形成装置本体６００から排出されたシートを順に取り込み、取り込んだシートに処理部２６０で処理を行う処理パスＢと、処理をせずに搬送方向下流のトレイ２９０に排出するバイパスＡを備えられている。これらのパスはフラッパ２０１で切り替えられる。シートの処理には、シートに穴をあける穿孔処理、シートに押し筋をつける筋付け処理がある。
【００１５】
シート処理装置２００でのシート処理は、画像形成装置本体６００に設けられた操作部６０１によるユーザーの設定に応じて動作する。
【００１６】
画像形成装置本体６００から排紙されたシートは、シート処理装置２００の入口ローラ対２０２ａ、２０２ｂに受け渡される。シートに何も処理をしない場合はフラッパ２０１によりバイパスＡに切り替えられ、搬送ローラ対２０３ａ、２０３ｂ、２０４ａ、２０４ｂにより搬送され、搬送方向下流のトレイ２９０に排出される。
【００１７】
シートに処理を施す場合はフラッパ２０１により処理パスＢに切り替えられ、シートは搬送ローラ対２０５ａ、２０５ｂ、２０６ａ、２０６ｂにより処理部２６０に搬送され、処理される。処理されたシートは再び搬送され、搬送ローラ対２０７ａ、２０７ｂ、２０８ａ、２０８ｂ、２０４ａ、２０４ｂにより搬送され、搬送方向下流のトレイ２９０に排出される。
【００１８】
バイパスＡは上搬送ガイド２１１（ガイド部材）を備えるガイド機構２１３（第１のガイド部材）と上搬送ガイドに搭載された従動コロ２０２ａ、２０３ａ、２０４ａ、そして、下搬送ガイド２１２（第二のガイド部材）と駆動ローラ２０２ｂ、２０３ｂ、２０４ｂで構成される。図３は、上搬送ガイド２１１と下搬送ガイド２１２を画像形成装置側から見た（図２のαの方向から見た）側面図、図４は上搬送ガイド２１１と下搬送ガイド２１２の斜視図である。図３、図４のように、上搬送ガイド２１１は支軸２１０で回動可能に支持されている。上搬送ガイド２１１は、対向する下搬送ガイド２１２に対して開閉可能に設けられており、上搬送ガイド２１１は、下搬送ガイド２１２に対して上方に開くようになっている。上搬送ガイド２１１が、下搬送ガイド２１２に対して閉じた位置においては、上搬送ガイド２１１と下搬送ガイド２１２は、不図示のマグネットの磁力によりお互いのガイドが閉じた状態に保持される。上搬送ガイド２１１を開いた位置には保持部材２１４が設置されており、上搬送ガイド２１１のガイド機構２１３が係合するようになっている。このため、上搬送ガイド２１１は開いたまま保持され、ジャム処理時の操作性を向上させている。上搬送ガイド２１１は金属性の板状のガイドである。
【００１９】
処理パスＢについては、処理部２６０の入口側のパスが入口固定搬送ガイド２４２、入口可動搬送ガイド２４１で構成されている。入口可動搬送ガイド２４１は、上搬送ガイド２１１と同様に回動でき、開いたときに保持部２４４と入口可動搬送ガイド２４１の被保持部２４３が係合して開いたままで保持できるようになっている。処理部２６０の出口側のパスは出口固定搬送ガイド２７２、出口可動搬送ガイド２７１で構成されている。出口可動搬送ガイド２７１は上搬送ガイド２１１と同様に回動でき、開いたときに保持部２７４と出口可動搬送ガイド２７１の被保持部２７３が係合して開いたままで保持できるようになっている。
【００２０】
＜ラッチ機構の説明＞
図５、図６は実施形態１に係るラッチ機構の構成を示した断面図であり、上搬送ガイド２１１が支軸２１０を支点として上方に回動した状態を示した図である。図５、図６は、図４のＡ−Ａ断面である。
【００２１】
図５は上搬送ガイド２１１を保持部材２１４とガイド機構２１３により開いた位置で保持している状態の図である。
【００２２】
図６は、保持部材２１４とガイド機構２１３の保持が解除された状態を示している図である。
保持部材２１４は、シート処理装置２００の不図示のフレームに固定された保持部ステイ２２５（第一の部材）と、保持部ステイ２２５に対して回動可能な操作ステイ３２０（第二の操作部材）を備える。保持部ステイ２２５から立ち上がった支持板３１１は支軸３１２を有しており、操作ステイ３２０の回動穴３２３に嵌合して操作ステイ３２０を回動可能に支持している。操作ステイ３２０にはバネ掛け部３２４、保持部ステイ２２５にはバネ掛け部３１６があり、バネ掛け部３２４とバネ掛け部３１６とに引っ張りバネ３１７（付勢部）が掛けられている。そして、操作ステイ３２０は引っ張りバネ３１７の弾性力により図５中矢印Ｇ方向に付勢されている。操作ステイ３２０にはユーザーが操作をする部分である操作部３２１（第二の操作部）と係合部３２２（第二の係合部）があり、操作部３２１を図６の矢印Ｈ方向（第二の方向）に押すと、係合部３２２は保持部ステイ２２５の切欠き穴３１５内を移動する。
【００２３】
ガイド機構２１３は、上搬送ガイド２１１と、上搬送ガイド２１１に対して回動可能に支持されたガイド操作ステイ３０４（第一の操作部材）を備える。上搬送ガイド２１１から立ち上がった支持板３０１は支軸３０２を有しており、ガイド操作ステイ３０４の回動穴３０７に嵌合してガイド操作ステイ３０４を回動可能に支持している。ガイド操作ステイ３０４には操作部３０５（第一の操作部）と被係合部３０６（第一の被係合部）があり、操作部３０５を図６の矢印Ｉ方向（第一の方向）に押すと、被係合部３０６は保持部ステイ２２５の切欠き穴３１４内を移動する。操作部３０５と操作部３２１は近接した位置に設けられている。ここで言う近接した位置とは、ユーザーが片手で操作部３０５と操作部３２１を同時に触ることができる程度の位置関係にあることを指す。二つの操作部３０５・３２１を近接した位置に設けることでユーザーは片手で操作を行うことができる。例えば、操作部３０５と操作部３２１との距離が１００ｍｍ以下の距離となるように、操作部３０５と操作部３２１は設けられる。
【００２４】
上搬送ガイド２１１の開いた位置での保持状態では、引っ張りバネ３１７により操作ステイ３２０が付勢され、係合部３２２が上搬送ガイド２１１の固定係合部３０３（第二の被係合部）に係合する。ガイド操作ステイ３０４は被係合部３０６の側よりも操作部３０５の側が重くなっており、図６においてガイド操作ステイ３０４は支軸３０２を中心に常に矢印Ｊ方向に回転するモーメントが付与されるようになっている。これにより被係合部３０６が保持部ステイ２２５の固定係合部３１３（第一の係合部）に係合する。上搬送ガイド２１１を二か所の係合部で係合することで、操作ステイ３２０とガイド操作ステイ３０４のどちらかを操作しただけでは保持状態が解除されないようになっている。例えば、ユーザーがガイド操作ステイ３０４を触ってしまい、操作ステイ３０４の被係合部３０６が固定係合部３１３から外れたとしても、固定係合部３０３と係合部３２２は係合しているため保持状態は解除されない。
【００２５】
複数の操作部を一緒に操作することにより係合が解除される構成であるため、ユーザーが誤って一つの操作部のみを操作したとしても搬送ガイドの係合状態が解除され、搬送ガイドが対向するガイドに急に落下して破損するということを抑制できる。また、それぞれの操作部の操作の方向が異なるため、ユーザーが誤って操作部を触ったとしても搬送ガイドの係合状態が解除されない。
【００２６】
なお、引っ張りバネ３１７は係合状態を保持するために設置されている。ユーザーが操作部３０５を操作してガイド操作ステイ３０４を保持部ステイ２２５に係合させる際に、上搬送ガイド２１１の係合部３０３は、引っ張りバネ３１７の張力に反して保持部ステイ２２５の係合部３２２の斜面部３２２ａに沿って動く。そして上搬送ガイド２１１の係合部３０３が斜面部３２２ａを乗り越えると、操作ステイ３０４の係合部３０３と保持部ステイ２２５の係合部３２２は引っ張りバネ３１７により係合状態が保持される。そのためユーザーは、係合のための操作を別途する必要が無く操作負担が減る。なお、引っ張りバネを設けない構成では、係合部３２２と固定係合部３０３を係合時に食い込む関係（図５の関係）にし、操作ステイ３２０を操作しないような構成とする。
【００２７】
係合を解除する際は、操作ステイ３２０の操作部３２１を矢印Ｈ方向に押しながら、ガイド操作ステイ３０４の操作部３０５を矢印Ｉ方向に押して係合部３２２、３０６を回動させる。本実施形態の構成によれば、ダンパーやマグネットキャッチを使った構成のように、ダンパーやマグネットキャッチの力に反してユーザーが力を加える必要が無いため、ユーザーは小さな操作力で上搬送ガイド２１１を閉じることができる。また、係合を解除する動作が、操作ステイ３２０の操作部３２１と、ガイド操作ステイ３０４の操作部３０５を握る動作で行うことができるため、解除の操作がユーザーに分かりやすい。
【００２８】
〔実施形態２〕
実施形態２は、実施形態１と保持部材２１４とガイド機構２１３によるラッチ機構のみ異なり、その他の構成は実施形態１と同じである。したがって、ラッチ機構のみ説明を行い、実施形態１と同様の構成については説明を省略する。
【００２９】
図７、図８は、後述する保持部材２１４とガイド機構２１３によるラッチ機構の構成を示した断面図である。図７、図８は、上搬送ガイド２１１が支軸２１０を支点として上方に回動した状態を示している。
【００３０】
図７は上搬送ガイド２１１を保持部材２１４により開いた位置で保持している状態の図である。
【００３１】
図８は、保持部材２１４とガイド機構２１３の保持が解除された状態を示している図である。
保持部材２１４は、シート処理装置２００の不図示のフレームに固定された保持部ステイ２２５と、保持部ステイ２２５に対してスライド移動可能な操作ステイ２３０（第二の操作部材）を備えている。保持部ステイ２２５から立ち上がった支持板２２８は２本の支軸２２９を有しており、支軸２２９が操作ステイ２３０のスライドスリット２３５に嵌合して操作ステイ２３０をスライド可能に支持している。操作ステイ２３０にはバネ掛け部２３３、保持部ステイ２２５にはバネ掛け部２２７が設けられており、バネ掛け部２３３とバネ掛け部２２７とに引っ張りバネ２３４（付勢部）が掛けられている。そして、操作ステイ２３０は引っ張りバネ２３４の弾性力により図中矢印Ｃ方向に付勢されている。操作ステイ２３０には操作部２３１（第二の操作部）と係合部２３２（第一の係合部）があり、操作部２３１を図８の矢印Ｅ方向（第二の方向）に押すと、操作ステイ２３０は保持部ステイ２２５の切欠き穴２２６内を移動量Ｌ２だけ移動する。
【００３２】
ガイド機構２１３は、上搬送ガイド２１１と、上搬送ガイド２１１における支軸２１０とは反対側の端部に設けられ、上搬送ガイド２１１に対してスライド移動可能に支持されたガイド操作ステイ２１５（第一の操作部材）とを備えている。上搬送ガイド２１１から立ち上がった支持板２２２は支軸２２１を有しており、ガイド操作ステイ２１５のスライドスリット２１９に嵌合してガイド操作ステイ２１５をスライド移動可能に支持している。ガイド操作ステイ２１５にはバネ掛け部２１７、上搬送ガイド２１１にはバネ掛け部２２０があり、バネ掛け部２１７とバネ掛け部２２０とに引っ張りバネ２２３（付勢部）が掛けられている。そして、ガイド操作ステイ２１５は引っ張りバネ２２３の弾性力により図中矢印Ｄ方向に付勢されている。ガイド操作ステイ２１５には操作部２１６（第一の操作部）と係合部２１８（第一の被係合部）があり、操作部２１６を図８の矢印Ｆ方向（第一の方向）に押すと、ガイド操作ステイ２１５は移動量Ｌ１だけスライド移動する。操作部２１６と操作部２３１は近接した位置に設けられている。例えば、例えば、操作部２１６と操作部２３１とが、１００ｍｍ以下の距離となるように設けられる。
【００３３】
図７に示す、上搬送ガイド２１１の開いた位置での保持状態では、引っ張りバネ２３４により操作ステイ２３０が付勢され、引っ張りバネ２２３によりガイド操作ステイ２１５が付勢されて、係合部２３２と２１８が係合することで上搬送ガイド２１１を保持している。この係合関係にある操作ステイ２３０とガイド操作ステイ２１５は操作ステイ２３０とガイド操作ステイ２１５のどちらかを操作しただけでは外れないようになっている。係合の解除に必要な操作ステイ２３０とガイド操作ステイ２１５の操作部２３１・２１６のスライド量は、次の３つの関係式を満たすように設定されている。
１）Ｌ＞Ｌ１
２）Ｌ＞Ｌ２
３）Ｌ＜Ｌ１＋Ｌ２
このような関係となっているため、ユーザーがガイド操作ステイ２１５を触ってしまい、ガイド操作ステイ２１５を移動量Ｌ１だけ移動させてしまったとしても、操作ステイ２３０とガイド操作ステイ２１５の係合が外れるスライド量Ｌよりも小さく、係合が解除されることはない。操作ステイ２３０のみをユーザーが触った場合でも同様に係合は解除されない。
【００３４】
複数の操作部を一緒に操作することにより係合が解除される構成であるため、ユーザーが誤って操作部の一つを操作したとしても搬送ガイドの係合状態が解除され、搬送ガイドが対向するガイドに急に落下して破損するということを抑制できる。このような、搬送ガイドの破損は、ガイドを金属で形成した場合に顕著な問題となる。なぜならば、金属で形成されたガイドは樹脂で形成されたガイドよりも重くなるため、落下による衝撃が大きくなるためである。
【００３５】
なお、引っ張りバネ２２３と２３４はガイド操作ステイ２１５、操作ステイ２３０の係合状態を保持するために設置されている。ユーザーが操作部２１６を操作してガイド操作ステイ２１５を操作ステイ２３０に係合させる際に、ガイド操作ステイ２１５の被係合部２１８は、引っ張りバネ２２３と２３４の張力に反して操作ステイ２３０の係合部２３２の斜面部２３２ａに沿って動く。そしてガイド操作ステイ２１５の被係合部２１８が斜面部２３２ａを乗り越えると、ガイド操作ステイ２１５の被係合部２１８と操作ステイ２３０の係合部２３２は引っ張りバネ２２３と２３４により係合状態が保持される。そのためユーザーは、係合のための操作を別途する必要が無く操作負担が減る。引張りバネがない場合は、操作ステイ２３０とガイド操作ステイ２１５とをユーザーが適宜動かして、係合状態を作る必要がある。
【００３６】
係合を解除する際は、操作ステイ２３０の操作部２３１を矢印Ｅ方向に押しながら、ガイド操作ステイ２１５の操作部２１６を矢印Ｆ方向に押して係合部２３２、２１８をスライドさせる。本実施形態の構成によれば、ダンパーやマグネットキャッチを使った構成のように、ダンパーやマグネットキャッチの力に反してユーザーが力を加える必要が無いため、ユーザーは小さな操作力で上搬送ガイド２１１を閉じることができる。小さな操作力で係合を解除できるが、係合の解除には複数の操作部で、異なる方向への操作が必要となる。そのため、ユーザーが意図せず一方の操作部を触ってしまったとしても、ガイド部材の意図しない保持状態の解除の発生を抑制できる。
【００３７】
〔実施形態３〕
実施形態３は、実施形態１と保持部材２１４とガイド機構２１３によるラッチ機構のみ異なり、その他の構成は実施形態１と同じである。したがって、ラッチ構成のみ説明を行い、実施形態１と同様の構成については説明を省略する。
【００３８】
図９、図１０は実施形態３に係るラッチ機構の構成を示した断面図であり、上搬送ガイド２１１が支軸２１０を支点として上方に回動した状態を示した図である。
【００３９】
図９はガイド機構２１３を保持部材２１４により開いた位置で保持している状態の図である。
【００４０】
図１０は、保持部材２１４とガイド機構２１３の保持が解除された状態を示している図である。
保持部材２１４は、シート処理装置２００の不図示のフレームに固定された保持部ステイ２２５（第一の部材）と、保持部ステイ２２５に対してスライド移動可能な操作ステイ４３０（第二の操作部材）を備える。保持部ステイ２２５から立ち上がった支持板４２８は支軸４２９を有しており、操作ステイ４３０のスライドスリット４３５に嵌合して操作ステイ４３０をスライド移動可能に支持している。操作ステイ４３０にはバネ掛け部４３３、保持部ステイ２２５にはバネ掛け部４２７があり、バネ掛け部４３３とバネ掛け部４２７とに引っ張りバネ４３４（付勢部）が掛けられている。そして、操作ステイ４３０は引っ張りバネ４３４の弾性力により図９中矢印Ｋ方向に付勢されている。操作ステイ４３０には操作部４３１（第二の操作部）と係合部４３２（第二の係合部）があり、操作部４３１を図１０の矢印Ｎ方向（第二の方向）に押すと、操作ステイ４３０は保持部ステイ２２５の切欠き穴４２６内を移動量Ｌ２だけ移動できる。
【００４１】
ガイド機構２１３は、上搬送ガイド２１１と、上搬送ガイド２１１に対してスライド移動可能に支持されたガイド操作ステイ４１５（第一の操作部材）を備える。上搬送ガイド２１１から立ち上がった支持板４２２は支軸４２１を有しており、ガイド操作ステイ４１５のスライドスリット４１９に嵌合してガイド操作ステイ４１５をスライド移動可能に支持している。ガイド操作ステイ４１５にはバネ掛け部４１７、上搬送ガイド２１１にはバネ掛け部４２０があり、バネ掛け部４１７とバネ掛け部４２０とに引っ張りバネ４２３（付勢部）が掛けられている。そして、ガイド操作ステイ４１５は引っ張りバネ４２３の弾性力により図９中矢印Ｍ方向に付勢されている。ガイド操作ステイ４１５には操作部４１６（第一の操作部）と被係合部４２４（第一の被係合部）があり、操作部４１６を図１０の矢印Ｏ方向（第一の方向）に押すと、ガイド操作ステイ４１５は移動量Ｌ１だけスライド移動する。
【００４２】
上搬送ガイド２１１の開いた位置での保持状態では、引っ張りバネ４３４により操作ステイ４３０が付勢され、係合部４３２が上搬送ガイド２１１の固定係合部４１８（第二の被係合部）に係合する。ガイド操作ステイ４１５は引っ張りバネ４２３により付勢され、被係合部４２４が保持部ステイ２２５の固定係合部４３６（第一の係合部）に係合する。
【００４３】
この係合関係の操作ステイ４３０とガイド操作ステイ４１５は操作ステイ４３０とガイド操作ステイ４１５のどちらかを操作しただけでは外れないようになっている。係合の解除に必要な操作ステイ４３０とガイド操作ステイ４１５の操作部４３１・４１６のスライド量Ｌは、次の３つの関係式を満たすように設定されている。
１）Ｌ＞Ｌ１
２）Ｌ＞Ｌ２
３）Ｌ＜Ｌ１＋Ｌ２
上搬送ガイド２１１を二か所の係合部で係合することで、操作ステイ４３０とガイド操作ステイ４１５のどちらかを操作しただけでは保持状態が解除されないようになっている。例えば、ユーザーがガイド操作ステイ４１５を触ってしまい、ガイド操作ステイ４１５の被係合部４２４が固定係合部４３６から外れたとしても、固定係合部４１８と係合部４３２は係合しているため保持状態は解除されない。複数の操作部を一緒に操作することにより係合が解除される構成であるため、ユーザーが誤って一つの操作部のみを操作したとしても搬送ガイドの係合状態が解除され、搬送ガイドが対向するガイドに急に落下して破損するということを抑制できる。
【００４４】
なお、引っ張りバネ４２３と４３４はガイド操作ステイ４１５、操作ステイ４３０の操作性を向上するために設置されている。ユーザーが操作部４１６を操作してガイド操作ステイ４１５を保持部ステイ２２５に係合させる際に、ガイド操作ステイ４１５の被係合部４２４の斜面部４２４ａと保持部ステイ２２５の固定係合部４３６とが接触し、操作ステイ４１５は引っ張りバネ４２３の張力に反して動く。また、操作ステイ４３０の係合部４３２の斜面部４３２ａと上搬送ガイド２１１の固定係合部４１８とが接触し、操作ステイ４３０は引っ張りバネ４３４の張力に反して動く。その後、ガイド操作ステイ４１５の被係合部４２４と保持部ステイ２２５の固定係合部４３６は引っ張りバネ４２３により係合状態が保持される。また、操作ステイ４３０の係合部４３２と上搬送ガイド２１１の固定係合部４１８は引っ張りバネ４３４により係合状態が保持される。そのためユーザーは、係合のための操作を別途する必要が無く操作負担が減る。なお、引っ張りバネを設けない場合は、ガイド操作ステイ４３０と操作ステイ４１５をユーザーが適宜動かして係合状態を作る必要がある。
【００４５】
係合を解除する際は、操作ステイ４３０の操作部４３１を矢印Ｎ方向に押しながら、ガイド操作ステイ４１５の操作部４１６を矢印Ｏ方向に押して係合部４３２、４２４をスライドさせる。本実施形態の構成によれば、ダンパーやマグネットキャッチを使った構成のように、ダンパーやマグネットキャッチの力に反してユーザーが力を加える必要が無いため、ユーザーは小さな操作力で上搬送ガイド２１１を閉じることができる。
【００４６】
〔実施形態４〕
実施形態４は、実施形態２と、開く搬送ガイドが異なる。図１１は、画像形成装置側から見た（図２のαの方向から見た）シート処理装置２００の側面図である。実施形態４では、ガイド機構２１３（第一のガイド部材）は、下搬送ガイド２１２と、ガイド操作ステイ５１５（第一の操作部材）を備える。図１１のように、下搬送ガイド２１２（第一のガイド部材）は支軸２４０で回動可能に支持されている。下搬送ガイド２１２は、対向する上搬送ガイド２１１（第二のガイド部材）に対して開閉可能に設けられている。下搬送ガイド２１２が、上搬送ガイド２１１に対して閉じた位置において、ガイド機構２１３は、保持部２１４と係合するようになっている。保持部２１４は、上搬送ガイド２１１と下搬送ガイド２１２とにより搬送されるシートの搬送を邪魔しない位置に設けられている。保持部２１４と、ガイド機構２１３の構成は実施形態２と同様の構成である。
【００４７】
図１２、図１３はラッチ機構の構成を示した断面図である。
【００４８】
図１２は下搬送ガイド２１２が、保持部材２１４とガイド機構２１３により上搬送ガイド２１１に対して閉じた位置で保持されている状態の図である。
【００４９】
図１３は、保持部材２１４とガイド機構２１３の保持が解除された状態を示している図である。
保持部材２１４は、シート処理装置２００の不図示のフレームに固定された保持部ステイ５２５(第一の)部材と、保持部ステイ５２５に対してスライド移動可能な操作ステイ５３０（第二の操作部材）を備える。保持部ステイ５２５から立ち上がった支持板５２８は支軸５２９を有しており、操作ステイ５３０のスライドスリット５３５に嵌合して操作ステイ５３０をスライド移動可能に支持している。操作ステイ５３０にはバネ掛け部５３３、保持部ステイ５２５にはバネ掛け部５２７があり、バネ掛け部５３３とバネ掛け部５２７とに引っ張りバネ５３４（付勢部）が掛けられている。そして、操作ステイ５３０は引っ張りバネ５３４の弾性力により図１２中矢印Ｃ方向に付勢されている。操作ステイ５３０には操作部５３１（第二の操作部）と係合部５３２（第一の係合部）があり、操作部５３１を図１３の矢印Ｅ方向（第二の方向）に押すと、操作ステイ５３０は保持部ステイ５２５の切欠き穴５２６内を移動量Ｌ２だけ移動できる。
【００５０】
ガイド機構２１３は、下搬送ガイド２１２と、下搬送ガイド２１２に対してスライド移動可能に支持されたガイド操作ステイ５１５（第一の操作部材）とを備える。下搬送ガイド２１２から立ち上がった支持板５２２は支軸５２１を有しており、ガイド操作ステイ５１５のスライドスリット５１９に嵌合してガイド操作ステイ５１５をスライド移動可能に支持している。ガイド操作ステイ５１５にはバネ掛け部５１７、下搬送ガイド２１２にはバネ掛け部５２０があり、バネ掛け部５１７とバネ掛け部５２０とに引っ張りバネ５２３（付勢部）が掛けられている。そして、ガイド操作ステイ５１５は引っ張りバネ５２３の弾性力により図１２中矢印Ｄ方向に付勢されている。ガイド操作ステイ５１５には操作部５１６（第一の操作部）と被係合部５１８（第一の被係合部）があり、操作部５１６を図１３の矢印Ｆ方向（第一の方向）に押すと、ガイド操作ステイ５１５は移動量Ｌ１だけスライド移動できる。操作部５１６と操作部５３１は近接した位置に設けられている。例えば、操作部５１６と操作部５３１とが、１００ｍｍ以下の距離となるように設けられる。
【００５１】
図１２に示す、下搬送ガイド２１２の閉じた位置での保持状態では、引っ張りバネ５３４により操作ステイ５３０が付勢され、引っ張りバネ５２３によりガイド操作ステイ５１５が付勢されて、係合部５３２と５１８が係合することで下搬送ガイド２１２を保持している。この係合関係の操作ステイ５３０とガイド操作ステイ５１５は操作ステイ５３０とガイド操作ステイ５１５のどちらかを操作しただけでは外れないようになっている。係合の解除に必要な操作ステイ５３０とガイド操作ステイ５１５の操作部５３１、５１６のスライド量Ｌは、次の３つの関係式を満たすように設定されている。
１）Ｌ＞Ｌ１
２）Ｌ＞Ｌ２
３）Ｌ＜Ｌ１＋Ｌ２
このような関係となっているため、ユーザーがガイド操作ステイ５１５を触ってしまい、ガイド操作ステイ５１５を移動量Ｌ１だけ移動させてしまったとしても、該移動量Ｌ１は操作ステイ５３０とガイド操作ステイ５１５の係合が外れるスライド量Ｌよりも小さく、係合が解除されることはない。操作ステイ５３０のみをユーザーが触った場合でも同様に係合は解除されない。
【００５２】
複数の操作部を一緒に操作することにより係合が解除される構成であるため、ユーザーが誤って操作部の一つを操作したとしても下搬送ガイド２１２の係合状態が解除され、下搬送ガイド２１２が急に落下して破損するということを抑制できる。このような、搬送ガイドの破損は、ガイドを金属で形成した場合に顕著な問題となる。なぜならば、金属で形成されたガイドは樹脂で形成されたガイドよりも重くなるため、落下による衝撃が大きくなるためである。なお、引っ張りバネ５２３と５３４はガイド操作ステイ５１５、操作ステイ５３０の係合状態を保持するために設置されている。ユーザーが操作部５１６を操作してガイド操作ステイ５１５を操作ステイ５３０に係合させる際に、ガイド操作ステイ５１５の被係合部５１８は、引っ張りバネ５２３と５３４の張力に反してガイド操作ステイ５３０の係合部５３２の斜面部５３２ａに沿って動く。そして操作ステイ５１５の被係合部５１８が斜面部５３２ａを乗り越えると、ガイド操作ステイ５１５の被係合部５１８と操作ステイ５３０の係合部５３２は引っ張りバネ５２３と５３４により係合状態が保持される。そのためユーザーは、係合のための操作を別途する必要が無く操作負担が減る。引張りバネがない場合は、操作ステイ２３０とガイド操作ステイ５１５とをユーザーが適宜動かして、係合状態を作る必要がある。
【００５３】
係合を解除する際は、操作ステイ５３０の操作部５３１を矢印Ｅ方向に押しながら、ガイド操作ステイ５１５の操作部５１６を矢印Ｆ方向に押して係合部５３２、５１８をスライドさせる。本実施形態の構成によれば、ダンパーやマグネットキャッチを使った構成のように、ダンパーやマグネットキャッチの力に反してユーザーが力を加える必要が無いため、ユーザーは小さな操作力で下搬送ガイド２１２を開くことができる。
【００５４】
なお、実施形態４では、実施形態２のラッチ機構の構成を下搬送ガイド２１２の保持の構成として適用したがこれに限られるものではない。実施形態１、実施形態３のようなラッチ機構を下搬送ガイド２１２の保持機構に適用してもよい。
【００５５】
（その他）
実施形態１〜３では上搬送ガイド２１１の保持構成について、実施形態４では下搬送ガイド２１２の保持構成について説明を行った。それ以外にも、入口可動搬送ガイド２４１、出口可動搬送ガイド２７１のように、垂直方向にシートが搬送されるガイド部においても、各実施例で説明したようなラッチ機構を適用することが可能である。
【００５６】
また、実施形態１〜４では、電子写真方式の画像形成装置で説明をしたがこれに限定されるものではない。シートに対しインクを吐出して画像形成を行うインクジェット方式の画像形成装置に用いられるシート搬送装置であってもよい。
【符号の説明】
【００５７】
１００  フィニッシャ
２００  シート処理装置
２０１  フラッパ
２１１  上搬送ガイド
２１２  下搬送ガイド
２１３  被保持部
２１４  保持部
２１５  ガイド操作ステイ
２１６  操作部
２１８  係合部
２２３  引っ張りバネ
２３０  操作ステイ
２３１  操作部
２３２  係合部
２３４  引っ張りバネ
２６０  処理部
３０３  固定係合部
３０４  ガイド操作ステイ
３０５  操作部
３０６  係合部
３１３  固定係合部
３１７  引っ張りバネ
３２０  操作ステイ
３２１  操作部
３２２  係合部
４１５  操作ガイドステイ
４１６  操作部
４１８  固定係合部
４２３  引っ張りバネ
４２４  係合部
４３０  操作ステイ
４３１  操作部
４３２  係合部
４３４  引っ張りバネ
４３６  固定係合部
【図１】
2016155685.tif 000003
【図２】
2016155685.tif 000004
【図３】
2016155685.tif 000005
【図４】
2016155685.tif 000006
【図５】
2016155685.tif 000007
【図６】
2016155685.tif 000008
【図７】
2016155685.tif 000009
【図８】
2016155685.tif 000010
【図９】
2016155685.tif 000011
【図１０】
2016155685.tif 000012
【図１１】
2016155685.tif 000013
【図１２】
2016155685.tif 000014
【図１３】
2016155685.tif 000015